(57)【特許請求の範囲】
【請求項１】
植栽用水を貯留可能な貯水部を備え、
前記貯水部に吸水性の植栽床材を設置するための床材収納部が設けられた植栽容器であって、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記包囲給水路に植栽用水の回転方向を制御する第１堰部材が設けられていることを特徴とする植栽容器。
【請求項２】
前記貯水部の底面の最外周部よりも所定長さだけ中央よりには、複数の板状突起が上向きに立設され、前記板状突起の内側は、前記床材収納部を構成し、前記板状突起の外側は、前記包囲給水路を構成することを特徴とする請求項１に記載の植栽容器。
【請求項３】
前記給排流路が前記貯水部の一側面に隣接配置された溝状給排流路を有することを特徴とする請求項１または２に記載の植栽容器。
【請求項４】
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を前記包囲給水路の上流側と連通させる第１開口部と、前記給排流路の前記第２流路を前記包囲給水路の下流側と連通させる第２開口部とが互いに離間するように形成されていることを特徴とする請求項３に記載の植栽容器。
【請求項５】
前記貯水部が前記給排流路を挟むように隣接配置された２つの貯水部を含むことを特徴とする請求項３または４に記載の植栽容器。
【請求項６】
複数の前記貯水部が前記給排流路に沿って隣接配置されており、複数の前記貯水部どうしの間に植栽用水を貯留可能な第３堰部材が設けられていることを特徴とする請求項３から５のいずれか一項に記載の植栽容器。
【請求項７】
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を上流側の前記貯水部と連通させる第１開口部と、前記給排流路の前記第２流路を下流側の前記包囲給水路と連通させる第２開口部とが形成されていることを特徴とする請求項６に記載の植栽容器。
【請求項８】
補助堰を前記第３堰部材の上流側または下流側に隣接する位置に着脱自在に追加装着するための係合部が設けられていることを特徴とする請求項６または７に記載の植栽容器。
【請求項９】
前記第２開口部と前記第２流路との間には、下流側の貯水部に植栽用水を貯留可能な堰部材が設けられていることを特徴とする請求項７に記載の植栽容器。
【請求項１０】
植栽用水を貯留可能な貯水部を備え、
前記貯水部に吸水性の植栽床材を設置するための床材収納部が設けられた植栽容器であって、
前記貯水部の底面の最外周部よりも所定長さだけ中央よりには、複数の板状突起が上向きに立設され、前記板状突起の内側は、前記床材収納部を構成し、前記板状突起の外側は、前記貯水部に前記床材収納部の全周を取り囲む包囲給水路を構成し、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
複数の前記貯水部が前記給排流路に沿って隣接配置されており、複数の前記貯水部どうしの間に植栽用水を貯留可能な第３堰部材が設けられ、
補助堰を前記第３堰部材の上流側または下流側に隣接する位置に着脱自在に追加装着するための係合部が設けられていることを特徴とする植栽容器。
【請求項１１】
植栽用水を貯留可能な貯水部を備え、
前記貯水部に吸水性の植栽床材を設置するための床材収納部が設けられた植栽容器であって、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を前記包囲給水路の上流側と連通させる第１開口部と、前記給排流路の前記第２流路を前記包囲給水路の下流側と連通させる第２開口部とが互いに離間するように形成されていることを特徴とする植栽容器。
【請求項１２】
植栽用水を貯留可能な貯水部を備え、
前記貯水部に吸水性の植栽床材を設置するための床材収納部が設けられた植栽容器であって、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
複数の前記貯水部が前記給排流路に沿って隣接配置されており、複数の前記貯水部どうしの間に植栽用水を貯留可能な第３堰部材が設けられ、
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を上流側の前記貯水部と連通させる第１開口部と、前記給排流路の前記第２流路を下流側の前記包囲給水路と連通させる第２開口部とが形成されていることを特徴とする植栽容器。
【発明の詳細な説明】
【技術分野】
【０００１】
本発明は、外部から供給された植栽用水を受け入れる入口および植栽用水を外部に排出する出口と連通し、且つ、植栽用水を貯留可能な貯水部を備え、貯水部に吸水性の植栽床材を設置するための床材収納部が設けられている植栽容器に関する。
【背景技術】
【０００２】
この種の植栽容器に関連する先行技術文献情報として下記に示す特許文献１がある。この特許文献１に記された植栽容器は、給水トレイと、給水トレイの上に載置される植栽ボックスとからなるユニットで構成され、複数の給水トレイどうしをジョイントによって前後左右に連結可能となっている。植栽ボックスの底部は、十文字状に延びる給水管によって４つの矩形部分に区画され、各矩形部分の中央には容器状の凸部が下向きに突設されている。植栽ボックスの凸部の内部と底部全面に植栽床材が設置され、その植栽床材の上に用土を乗せられる。給水管によって供給された植栽用水は、給水管の多孔質の壁面を介して、底部の植栽床材に浸透する。したがって、給水管は用土や植栽床材の下方に配置されていて、生育中は基本的に見ることができない。大量の降雨時に用土と植栽床材を貫通した雨水は給水トレイの底部に溜まり、植栽ボックスの乾燥時には凸部の最下部に形成されたスリットを介して凸部の植栽床材に浸透する。
【先行技術文献】
【特許文献】
【０００３】
【特許文献１】特開平８−１１６８１１号公報（００３４−００３６段落、図１、図６）
【発明の概要】
【発明が解決しようとする課題】
【０００４】
しかし、特許文献１に記された植栽容器では、ユニットを構成する給水トレイ容器や植栽ボックスとは別に、多孔質材料で形成された特殊な給水管を設ける必要があった。また、植栽用水は給水管の多孔質の壁面から染み出しながら植栽床材に浸透する構成であるため、植栽床材の大半が浸潤状態になるまでに長い時間がかかる、或いは、生育対象の植物によっては植栽床材の必要箇所が十分な浸潤状態になり難いという問題があった。【０００５】
そこで、本発明の目的は、上に例示した従来技術による植栽容器が与える課題に鑑み、多孔質材料で形成された特殊な給水管を設ける必要がなく、植栽床材の大半或いは必要箇所を比較的短時間で十分な浸潤状態にできる植栽容器を提供することにある。
【課題を解決するための手段】
【０００６】
本発明による植栽容器の第１の特徴構成は、
植栽用水を貯留可能な貯水部を備え、
前記貯水部に吸水性の植栽床材を設置するための床材収納部が設けられた植栽容器であって、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記包囲給水路に植栽用水の回転方向を制御する第１堰部材が設けられている点にある。
【０００７】
本発明の第１の特徴構成による植栽容器では、外部からの植栽用水は給排流路を介して直ぐに貯水部の床材収納部に達するので、多孔質材料で形成された特殊な給水管を設ける必要がない。また、給排流路を介して供給された植栽用水は、引き続き床材収納部の全周を取り囲む包囲給水路に進入するので、植栽用水の供給開始から短時間で植栽床材の全周が植栽用水によって包囲され、植栽床材の大半或いは必要箇所を比較的短時間で十分な浸潤状態にできるという効果が得られる。尚、本発明による植栽容器でも複数の植栽容器を互いに連結して用いることができるが、その場合、植栽床材の吸水速度を超えて供給された植栽用水は給排流路を介して下流側の植栽容器に供給される。
また、一方の回転方向に流れ込もうとする植栽用水を堰き止める第１堰部材の作用により、植栽用水は他方の回転方向に沿って包囲給水路に進入する傾向が生じるため、植栽床材の下部が全周に亘って迅速に植栽用水で包囲され易くなる。したがって、より植栽床材の大半を短時間で適切な湿潤状態にすることができる。
また、本発明の他の特徴構成による植栽容器では、植栽用水を貯留可能な貯水部を備え、
前記貯水部に吸水性の植栽床材を設置するための床材収納部が設けられ、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を前記包囲給水路の上流側と連通させる第１開口部と、前記給排流路の前記第２流路を前記包囲給水路の下流側と連通させる第２開口部とが互いに離間するように形成されている。
また、本発明の他の特徴構成による植栽容器では、植栽用水を貯留可能な貯水部を備え、
前記貯水部に吸水性の植栽床材を設置するための床材収納部が設けられ、
前記貯水部に前記床材収納部の全周を取り囲む包囲給水路が設けられ、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
複数の前記貯水部が前記給排流路に沿って隣接配置されており、複数の前記貯水部どうしの間に植栽用水を貯留可能な第３堰部材が設けられ、
前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を上流側の前記貯水部と連通させる第１開口部と、前記給排流路の前記第２流路を下流側の前記包囲給水路と連通させる第２開口部とが形成されている。
また、本発明の他の特徴構成による植栽容器では、植栽用水を貯留可能な貯水部を備え、
前記貯水部に吸水性の植栽床材を設置するための床材収納部が設けられた植栽容器であって、
前記貯水部の底面の最外周部よりも所定長さだけ中央よりには、複数の板状突起が上向きに立設され、前記板状突起の内側は、前記床材収納部を構成し、前記板状突起の外側は、前記貯水部に前記床材収納部の全周を取り囲む包囲給水路を構成し、
植栽用水を外部から前記貯水部に供給し、前記貯水部の植栽用水を外部に排出する給排流路が、前記包囲給水路と連通状に設けられ、
前記給排流路が前記貯水部の一側面に隣接配置された溝状給排流路を有し、
複数の前記貯水部が前記給排流路に沿って隣接配置されており、複数の前記貯水部どうしの間に植栽用水を貯留可能な第３堰部材が設けられ、
補助堰を前記第３堰部材の上流側または下流側に隣接する位置に着脱自在に追加装着するための係合部が設けられている。
【００１０】
本発明の他の特徴構成は、前記給排流路が前記貯水部の一側面に隣接配置された溝状給排流路を有する点にある。【００１１】
本構成であれば、植栽用水が給排流路を介して導き入れられる様子が、植栽床材の下方に隠蔽されることなく、植栽床材の側方で、花卉の花や葉などの間から観察可能となる。視覚的に確認できる。すなわち、植栽用水が適切に供給されているか否か、互いに連結された植栽容器の間で植栽用水が漏れていないか、植栽容器から排出される植栽用水が異常に汚染されていないか等を視覚的に判定できるため、植物の管理を行い易くなる。【００１２】
本発明の他の特徴構成は、前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を前記包囲給水路の上流側と連通させる第１開口部と、前記給排流路の前記第２流路を前記包囲給水路の下流側と連通させる第２開口部とが互いに離間するように形成されている点にある。【００１３】
本構成であれば、給排流路に供給された植栽用水は、給排流路の上流側から包囲給水路の上流側に進入し、植栽床材の周囲を回りながら包囲給水路の下流側に至り、そこから給排流路の下流側に戻る。したがって、植栽床材の下部が全周に亘って迅速に植栽用水で包囲されるので、より短時間で植栽床材の大半が湿潤状態に達する。また、植栽床材が十分に湿潤された定常状態に達した後も、供給された植栽用水の全量が、そのまま下流の植栽容器に流れ出ることなく包囲給水路に進入するので、貯水部の植栽用水が常に新鮮なものに置換され易い。【００１４】
本発明の他の特徴構成は、前記貯水部が前記給排流路を挟むように隣接配置された２つの貯水部を含む点にある。【００１５】
本構成であれば、給排流路が左右２つの貯水部の間を流れるように延設されるため、植え付けた花卉が十分な範囲に生育したら、左右少なくとも２つの植栽床材に植え付けられた花卉の間からのみ給排流路を透視可能な状態となる。したがって、花卉を受け付けた植栽容器で作った花壇の美観がより向上する。【００１６】
本発明の他の特徴構成は、複数の前記貯水部が前記給排流路に沿って隣接配置されており、複数の前記貯水部どうしの間に植栽用水を貯留可能な第３堰部材が設けられている点にある。【００１７】
本構成であれば、もしも植栽容器を一部の建築物の屋上などの傾斜した床面に設置した場合でも、供給された植栽用水が自重作用によって給排流路の下流側に位置する低い方の貯水部に流れる傾向が抑制されて、上流側の植栽床材の下部も全周に亘って迅速に植栽用水で包囲され易くなる。したがって、上流側と下流側の双方の貯水部に設置された植栽床材を均等に且つ効率的に適切な湿潤状態にすることができる。【００１８】
本発明の他の特徴構成は、前記給排流路を流水方向に関して上流側の第１流路と下流側の第２流路との２つに分断する第２堰部材と、前記給排流路を前記貯水部に対して仕切る仕切り壁とが備えられ、
前記仕切り壁に、前記給排流路の前記第１流路を上流側の前記貯水部と連通させる第１開口部と、前記給排流路の前記第２流路を下流側の前記包囲給水路と連通させる第２開口部とが形成されている点にある。【００１９】
本構成であれば、複数の貯水部が給排流路に沿って隣接配置された形態の場合に、給排流路に供給された植栽用水は、給排流路の上流側から先ず上流側の貯水部の包囲給水路に進入し、植栽床材の周囲を回りながら上流側の貯水部の包囲給水路に進入し、そこで再び植栽床材の周囲を回りながら給排流路の下流側に戻る。したがって、上流側および下流側の植栽床材の下部が全周に亘って迅速に植栽用水で包囲されるので、より短時間で植栽床材の大半が湿潤状態に達する。また、植栽床材が十分に湿潤された定常状態に達した後も、供給された植栽用水の全量が、そのまま下流の植栽容器に流れ出ることなく各貯水部の包囲給水路に進入するので、貯水部の植栽用水が常に新鮮なものに置換され易い。【００２０】
本発明の他の特徴構成は、補助堰を前記第３堰部材の上流側または下流側に隣接する位置に着脱自在に追加装着するための係合部が設けられている点にある。【００２１】
本構成であれば、植栽容器を設置する床面の傾斜度に適した（但し第３堰部材の高さを上回る）ように補助堰を追加装着することで、床面の傾斜度が大きい場合でも適切な給水機能を得ることができる。【００２２】
本発明の他の特徴構成は、前記第２開口部と前記第２流路との間には、下流側の貯水部に植栽用水を貯留可能な堰部材が設けられている点にある。【００２３】
本構成であれば、傾斜が比較的急な床面に設置する場合に、上流側の貯水容器と比較して下流側の貯水容器での貯水量が不足する現象が抑制されるため、給水状態が上流側の貯水容器と下流側の貯水容器との間でより均等となり、植物の生育条件も均等化され易くなる。
【図面の簡単な説明】
【００２４】
【図１】本発明に係る植栽容器で構成された花壇の例を示す一部破断斜視図である。
【図２】本発明に係る植栽容器を示す斜視図である。
【図３】図２の植栽容器の作用を示す平面図である。
【図４】図２の植栽容器の給排流路に沿った縦断面図である。
【図５】本発明に用いられる植栽床材を示す斜視図である。
【図６】本発明の別実施形態による植栽容器の作用を示す平面図である。
【図７】さらに別の実施形態による植栽容器の作用を示す平面図である。
【図８】さらに別の実施形態による植栽容器の作用を示す平面図である。
【図９】さらに別の実施形態による植栽容器を示す平面図である。
【図１０】図９の特定箇所を示す斜視図である。
【図１１】図９の別の特定箇所を示す斜視図である。
【発明を実施するための形態】
【００２５】
以下に本発明を実施するための形態について図面を参照しながら説明する。
図１はビルの屋上などを含む屋外に設置可能な花壇の一例を示しており、樹脂の一体成形で作られた複数の植栽容器１と、植栽容器１に設置される植栽床材２０と、植栽容器１に植栽用水を供給するための給水設備３０とを有する。
【００２６】
（植栽容器の構成）
図２に示すように、個々の植栽容器１の外形は平面視において略正方形状を呈している。植栽容器１の一辺を構成する平板状の第１辺部材Ｅ１の中央には、植栽容器１に植栽用水を受け入れるための用水入口２Ａが配置され、これと対峙する第２辺部材Ｅ２の中央には、植栽容器１から余分な植栽用水を排出するための用水出口２Ｂが配置されている。
２つの辺部材Ｅ１，Ｅ２の各中点どうしを結ぶ軸心Ｘが、植栽容器１の中央に残りの辺部材Ｅ３、Ｅ４と平行に延びており、この軸心Ｘに沿って直線状の給排流路３が延設されている。用水入口２Ａおよび用水出口２Ｂはこの給排流路３の両端に位置し、用水出口２Ｂからはクチバシ状の樋口２Ｆが横向きに突設されている。
【００２７】
図２における給排流路３の右側と左側には、各々２つの概して正方形の植栽セクション４が給排流路３に沿って並置されており、合計で４つの植栽セクション４が一体的に集合することで、植栽容器１自体も全体として平面視で略正方形の外形を備えている。
植栽床材２０は植物を根の発育を許しながら支持する機能と、発育に必要な植栽用水を吸水保持する機能とを有する多孔質の材料からなり、図１および図５に示すように、ここでは、供給された植栽用水を吸水する下部床材２０Ａと、下部床材２０Ａの上に載置されて植物を支持する上部床材２０Ｂとで構成されている。上部床材２０Ｂには花卉などの苗を植え付けるための凹部２１が形成されている。ここで用いられる植栽床材２０（２０Ａ、２０Ｂ）は、ウレタンと粉砕された木屑などの混合物からなり、上部から下部までほぼ均一に水分と空気をバランスよく保持でき、且つ、根の生育に必要な空気が保たれ易い。
【００２８】
図２および図３に示すように、個々の植栽セクション４は植栽用水を貯留可能な一つの貯水容器５（貯水部の一例）を備えている。したがって、給排流路３は各貯水容器５の一側面に隣接配置された溝状給排流路となり、２つの貯水容器５が給排流路３を挟むように左右に隣接配置された状態となっている。貯水容器５は概して八角形の底面５ａの最外周部から斜め上方に擂り鉢状に延びた８個の壁面５ｂを備えている。貯水容器５は、８個の壁面５ｂの中で、４つの辺部材Ｅ１，Ｅ２，Ｅ３，Ｅ４のいずれかと略平行に延びた４個の壁面５ｂのみの上端を介して辺部材Ｅ１，Ｅ２，Ｅ３，Ｅ４に連結されている。
貯水容器５の底面５ａの最外周部よりも所定長さだけ中央寄りには４つの低い板状突起６が上向きに立設されている。
【００２９】
板状突起６の内側の概して八角形の領域は下部床材２０Ａを設置するための床材収納部７を構成している。板状突起６の役割の一つは、下部床材２０Ａの下端部がこれらの板状突起６の内側に略嵌合状に固定されることで、下部床材２０Ａを底面５ａの中央の正しい位置に正しい姿勢で固定することである。
【００３０】
板状突起６の外側は、下部床材２０Ａの下端部の全周を取り囲む包囲給水路８を構成している。包囲給水路８は下部床材２０Ａが存在せず、植栽用水が基本的に自由に行き来し易い領域となっている。
尚、平面視において上部床材２０Ｂは下部床材２０Ａよりも大きな外径を備えており、下部床材２０Ａの上に上部床材２０Ｂを載置すると、上部床材２０Ｂの外周面は貯水容器５の８個の壁面５ｂの内面にほぼフィットした状態で位置決めされる。
したがって、上部床材２０Ｂの下方には下部床材２０Ａを全周で取り囲むトンネル状の用水流路が形成される。
【００３１】
図４に示すように、給排流路３の流水方向に関する中間部には、給排流路３を上流側の第１流路３Ａと下流側の第２流路３Ｂとの２つに分断し、第１流路３Ａに植栽用水を所定の深さで貯留するための第２堰部材３Ｄが形成されている。
また、図２から図４に示すように、給排流路３と貯水容器５との間には両領域どうしを仕切る平板状の仕切り壁１０が備えられている。仕切り壁１０には、給排流路３の第１流路３Ａを上流側の植栽セクション４の包囲給水路８と連通させる第１開口部１０Ａと、給排流路３の第２流路３Ｂを下流側の植栽セクション４の包囲給水路８と連通させる第２開口部１０Ｂとが切り欠き状に形成されている。第２堰部材３Ｄは第１開口部１０Ａの下流側端部から第２開口部１０Ｂの上流側端部まで直線状に長く延設されている。
【００３２】
給排流路３に沿って並置された上流側の貯水容器５と下流側の貯水容器５との間には植栽用水の行き来を可能にする連設開口部１１が形成されているが、この連設開口部１１には植栽用水を所定の深さで貯留可能な第３堰部材１１Ｄが設けられている。
各包囲給水路８の一部には、用水入口２Ａから第１開口部１０Ａや第２開口部１０Ｂを経て進入する植栽用水の回転方向などを制御する第１堰部材８Ｄが設けられている。
【００３３】
上流側と下流側の各貯水容器５の包囲給水路８に設けられた２つの第１堰部材８Ｄは、第３堰部材１１Ｄを挟んで前後方向に同等に軸心Ｘと平行に延び、平面視において第３堰部材１１Ｄを中心とした対称状に配置されている。
図３に示すように、軸心Ｘよりも右側の植栽セクション４のみについて言えば、上流側の貯水容器５に設けられた第１堰部材８Ｄは、図で左下に位置する板状突起６の下流側端部付近を、最も近接した壁面５ｂに対して連結する形状で設けられている。下流側の貯水容器５に設けられた第１堰部材８Ｄは、図で左上に位置する板状突起６の上流側端部付近を、最も近接した上流側の壁面５ｂに連結する形状で設けられている。
尚、第1堰部材８Ｄの位置は、植栽用水の回転を制御するものであればよく、特に限定されるものではない。例えば、第1堰部材８Ｄを図３に例示した位置よりも第１開口部１０Ａや第２開口部１０Ｂに近接した位置に配置してもかまわない。
【００３４】
各植栽セクション４の四隅の上端には概して三角形のフランジ１３が四隅のコーナーを埋めるように水平に延設されている。フランジ１３の下面は上部床材２０Ｂの上面の４つの短辺と係合することで、上部床材２０Ｂを正しい位置に保持する役目を果たす。
また、非常に多数の植栽容器１を前後左右に連結した場合などには、育成中の花卉のメンテナンスを行う目的で、作業者が少なくとも一部のフランジ１３の上を伝い歩くことが可能である。給排流路３は着脱自在な矩形の蓋（不図示）で閉じた状態で用いてもよい。
各フランジ１３には長円形の貫通孔１３Ｈが底面５ａの傾斜した短辺と平行に延設されている。また、フランジ１３は貯水容器５の壁面５ｂの上端よりも更に高い位置に配置されており、フランジ１３と壁面５ｂの間には貫通孔１３Ｈと平行に延びた間隙が形成されている。これらの間隙および貫通孔１３Ｈからは植栽容器１を載置したフロアーなどの表面を透視することができる。
【００３５】
（連結方法）
図１には、植栽容器１どうしの連結を実現するための２種類の連結キャップ２４、２５が示されている。円形の連結キャップ２４は４つの植栽容器１を一体化するために用いられ、半円形の連結キャップ２５は２つの植栽容器１を一体化するために用いられる。これらの連結キャップ２４、２５の下端部などを係止するために、植栽容器１の４つの角部には扇型の係合孔または係合突起などが形成されている。
【００３６】
例えば、４つの植栽容器１を全体として正方形になるように並べると、その正方形の中心に４つの係合孔が全体として円形に並ぶので、この円に沿って円形の連結キャップ２４を係止させると、４つの植栽容器１が一体化される。また、前後または左右に並べられた２つの植栽容器１の間には２つの係合孔が全体として一つの半円を形成するように並ぶので、この半円に沿って半円形の連結キャップ２５を係止させると、２つの植栽容器１が一体化される。
【００３７】
図４に示すように、植栽容器１どうしを前後方向に、すなわち給排流路３が直列状になるように連結する際は、植栽用水の流れに関して上流側の植栽容器１の用水出口２Ｂに設けられた樋口２Ｆが、下流側の植栽容器１の用水入口２Ａに進入するように連結する。
また、植栽容器１を水平な面に載置したときの各堰部材と板状突起６と樋口２Ｆの間の高さの関係は、「第２堰部材３Ｄ＞樋口２Ｆ＞第３堰部材１１Ｄ＝用水入口２Ａ＞板状突起６＞第１堰部材８Ｄ」となるように設定されている。
【００３８】
図１に示すように、個々の植栽容器１をビルの屋上の床面などに固定することが可能である。図１には、ベース板２７の上面にボルト２８が立設された形態の固定具２６を用いる例が示されている。ボルト２８の頭部がベース板２７に溶接されている。ベース板２７を接着剤、両面テープ、或いは別のアンカーボルト（不図示）などで予め床面の所望箇所に固定しておき、ボルト２８を植栽容器１の中心（第２堰部材３Ｄの一部に相当する）に形成されている固定用孔１４に挿通後、ボルト２８に螺合させたナット２９によって植栽容器１を固定具２６に対して締め付け固定することができる。
【００３９】
図１に示すように、給水設備３０は、最も上流側に配置された植栽容器１の用水入口２Ａに植栽用水を供給するための配管３１と、上水道と配管３１との間に介装された電磁弁３２と、最も下流側に位置する上部床材２０Ｂに挿入された水分センサＳと、水分センサＳの検出結果に基づいて電磁弁３２をＯＮ／ＯＦＦ切り換えする制御装置３３とで構成することができる。
【００４０】
各辺部材Ｅ１，Ｅ２，Ｅ３，Ｅ４は、植栽容器１の最下部から上向きに直線状に延びた主外周面ｆａと、主外周面ｆａの上端から内側に延びた肩部ｆｂと、肩部ｆｂから上向きに直線状に延びた副外周面ｆｃとを有する。副外周面ｆｃは主外周面ｆａよりも僅かに内側に位置している。
すなわち、植栽容器１どうしの前後方向（給排流路３どうしが直列状になる）での連結では、各植栽容器１の第１辺部材Ｅ１と第２辺部材Ｅ２の主外周面ｆａどうしが互いに接当または隣接される。他方、植栽容器１どうしの左右方向（給排流路３どうしが並列状になる）での連結は、各植栽容器１の第３辺部材Ｅ３と第４辺部材Ｅ４の主外周面ｆａどうしが互いに接当または隣接される。
【００４１】
したがって、２つの植栽容器１を連結した場合、各辺部材Ｅ１，Ｅ２または各辺部材Ｅ３，Ｅ４を挟んで隣接される貯水容器５どうしは少なくとも肩部ｆｂの幅×２の間隔を空けて配置されることになる。
この肩部ｆｂの幅×２の間隔は、植栽容器１の中で前後左右に並ぶ貯水容器５どうしを隔てている給排流路３などの幅と略同等に設定されているので、植栽容器１どうしを前後左右に連結して用いた場合、各植栽セクション４に配置された上部床材２０Ｂどうしは、前後方向と左右方向の区別なく、肩部ｆｂの幅×２に近似する略一定の間隔を空けて並べられることになる。
【００４２】
（植栽容器の作用）
図３に示すように、給水設備３０によって、最も上流側に配置された植栽容器１の用水入口２Ａへの植栽用水の供給を開始すると、先ず、植栽用水は給排流路３の第１流路３Ａに入って第２堰部材３Ｄに衝突して左右に別れ、左右の第１開口部１０Ａを経て、左右の上流側の植栽セクション４の包囲給水路８（貯水容器５）に進入する。包囲給水路８に進入した植栽用水は、設置面の傾斜度に応じて上流側と下流側のいずれか又は双方に流れる。しかし、下流側に流れた植栽用水が包囲給水路８に配置された第１堰部材８Ｄに達して以降は、上流側への流れが主体的となって、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。このように、板状突起６は植栽用水を一定の回転方向に案内するガイド部材の役割をも果たす。下部床材２０Ａはこの植栽用水を直ぐに吸水し始めるが、植栽用水が下部床材２０Ａの吸水速度を超える速度で供給されている状態では、第３堰部材１１Ｄをオーバーフローして連設開口部１１から下流側の植栽セクション４に移動する。
【００４３】
尚、この実施形態では、単一の植栽容器１に４つの貯水容器５（貯水部）が設けられているが、軸心Ｘと平行に並設された左右の各２つの貯水容器５（貯水部）は連設開口部１１によって接続された一つの貯水容器５（貯水部）と見ることができる。したがって、植栽用水を外部から貯水容器５（貯水部）に供給し、貯水容器５（貯水部）の植栽用水を外部に排出する給排流路３が、包囲給水路８と連通状に設けられた構成といえる。
【００４４】
下流側の植栽セクション４の包囲給水路８に進入した植栽用水は、ここに配置された第１堰部材８Ｄの作用で、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。下部床材２０Ａを包囲した植栽用水の一部は第２流路３Ｂに進入する。下部床材２０Ａはこの植栽用水を直ぐに吸水し始めるが、上流側の植栽セクション４から植栽用水が下部床材２０Ａの吸水速度を超える速度で供給されている状態では、用水出口２Ｂの樋口２Ｆからオーバーフローして下流側の植栽容器１の用水入口２Ａに流れ込む。
このような植栽用水の挙動が給排流路３を挟んで左右の各植栽セクション４で略対称的に行われる。
尚、最も下流側に配置された植栽容器１の樋口２Ｆから余分な植栽用水が排出されないように制御装置３３を設定することができる。但し、最も下流側に配置された植栽容器１の用水出口２Ｂを専用の栓部材によって塞いでもよい。
【００４５】
〔別実施形態〕
〈１〉必ずしも４つの植栽セクション４が連結された形態で実施する必要はなく、図６に示すように、単一の植栽セクション４の貯水容器５が給排流路３の一側面に隣接配置された形態としてもよい。第２堰部材３Ｄの上流側の端部は植栽セクション４の包囲給水路８の上流側に隣接し、第２堰部材３Ｄの下流側の端部は植栽セクション４の包囲給水路８の下流側に隣接しているので、第１開口部１０Ａと第２開口部１０Ｂとは互いに十分に離間して配置されている。ここでは、植栽セクション４に設ける第１堰部材８Ｄは、上流側の板状突起６の下流側の端部から仕切り壁１０の上流側の端部まで軸心Ｘと交差するように延設されている。したがって、第１開口部１０Ａから包囲給水路８に進入した植栽用水は、第１堰部材８Ｄの作用によって初めから下部床材２０Ａの外周を時計方向に回転しながら第２開口部１０Ｂ付近に至る。尚、図２に記された実施形態においても、上流側の植栽セクション４に設ける第１堰部材８Ｄを、図６のように、上流側の板状突起６の下流側の端部から第１開口部１０Ａを構成する壁面５ｂまで軸心Ｘと交差するように延設させてもよい。
【００４６】
〈２〉図７に示すように、図６の実施形態から第２堰部材３Ｄを省略した形態としてもよい。図７の例では、第２堰部材３Ｄが省略されて、給排流路３に単一の流路のみが存在し、この流路の全長が包囲給水路８と連通状態になっている。植栽用水が必ずしも包囲給水路８において図に示す時計回りの回転を示す保証はないが、包囲給水路８に進入した植栽用水が下部床材２０Ａの外周を全周に亘って包囲し、余分な植栽用水が包囲給水路８から下流の植栽容器１に排出される作用は実現される。
【００４７】
〈３〉図８に示すように、図７の実施形態を、給排流路３が貯水容器５の側部に隣接した形態ではなく、給排流路３が貯水容器５の内部に含まれた形態としてもよい。図８の例では床材収納部の全周を取り囲む包囲給水路８が自ら給排流路を構成している。
【００４８】
〈４〉下部床材２０Ａと上部床材２０Ｂが互いに一体化された形状の単一の植栽床材を用いてもよい。
【００４９】
〈５〉本発明による植栽容器は傾斜面に限らず、水平な床面や地面の上に載置して用いることも可能である。また複数の植栽容器どうしを連結した使用形態に限らず、単一の植栽容器のままでも使用可能である。
【００５０】
〈６〉給水設備３０については、適宜、植栽用水を供給できる構成であれば上記の構成に限定されるものではない。例えば、上水道に接続するのではなく、給水タンクから供給する構成でもよい。また、センサの検出値に基づく制御ではなく、作業者などが設定したタイマーにより給水開始および給水停止のタイミングが自動的に制御される構成であっても良い。
【００５１】
〈７〉図９及び図１０（ａ）に示すように、第３堰部材１１Ｄの上流側または下流側に隣接する位置に、上流側の貯水容器５と下流側の貯水容器５との間での植栽用水の行き来をより細かく制御するための板状の補助堰２３を、オプション部材として着脱自在に追加装着できるように構成してもよい。ここでは、板状の補助堰２３を追加装着するための手段として一対の係合部１２が第３堰部材１１Ｄの下流側に隣接配置されている。
【００５２】
第３堰部材１１Ｄは、連設開口部１１を形成するために壁面５ｂに設けられた一対の端面５ｃの下端どうしを連結するように形成されている（この点は図２に示す実施形態も同様である）。一対の係合部１２は、これら一対の端面５ｃの各下端に、第３堰部材１１Ｄと隣接して形成された一対のリブ状の部材である。このリブ状の係合部１２は、一対の端面５ｃから僅かな長さで延出されているので、係合部１２のみでは水の流れに影響を与えない。リブ状の係合部１２と第３堰部材１１Ｄとの間に形成された縦溝に、第３堰部材１１Ｄを上回る高さの板状の補助堰２３を差し込み、補助堰２３の下面を植栽容器１の底面と密接させることで、連設開口部１１を仕切る堰の高さを適宜変更することができる。
【００５３】
すなわち、第３堰部材１１Ｄの高さを傾斜度の比較的緩い床面に合わせて設定しておき、より傾斜の急な床面に設置する場合は、その傾斜度に適した高さの補助堰２３を差し込むことで、傾斜度に関わらず適切な給水機能を得ることができる。
【００５４】
尚、例えば、リブ状の係合部１２と第３堰部材１１Ｄとの間に形成された縦溝の幅を、概して補助堰２３の厚さと同等の寸法に設定し、且つ、装着された補助堰２３が第３堰部材１１Ｄの面と密着するように構成すれば、図１０（ｂ）に示すように、補助堰２３を上下に適宜移動させて任意の高さで固定できるので、互いに高さの異なる複数の種類の補助堰２３を設ける必要はない。
【００５５】
〈８〉傾斜が比較的急な床面に設置する場合は、上流側の貯水容器５と比較して下流側の貯水容器５での貯水量が不足する現象を抑制する目的で、図９及び図１１に示すように、下流側の第２開口部１０Ｂのみに低めの堰部材１５を設けておくとよい。或いは、堰部材１５を、第２開口部１０Ｂを構成する左右の仕切り壁１０の間に圧入係合可能で、不要になれば除去できるオプション部材として設けてもよい。また、互いに高さの異なる数種類の堰部材１５をオプション部材として用意してもよい。
【産業上の利用可能性】
【００５６】
植栽用水を貯留可能な貯水部を備え、貯水部に吸水性の植栽床材を設置するための床材収納部が設けられた植栽容器であって、多孔質材料で形成された特殊な給水管を設ける必要がなく、植栽床材を短時間で十分な浸潤状態にできる植栽容器として利用できる。
【符号の説明】
【００５７】
Ｓ  水分センサ
Ｘ  軸心
１  植栽容器
２Ａ  用水入口
２Ｂ  用水出口
２Ｆ  樋口
３  給排流路
３Ａ  第１流路
３Ｂ  第２流路
３Ｄ  第２堰部材
４  植栽セクション
５  貯水容器（貯水部）
７  床材収納部
８  包囲給水路
８Ｄ  第１堰部材
１０  仕切り壁
１０Ａ  第１開口部
１０Ｂ  第２開口部
１１  連設開口部
１１Ｄ  第３堰部材
１２  係合部
２０  植栽床材
２０Ａ  下部床材
２０Ｂ  上部床材
２３  補助堰
【図１】
0005851245.tif 000002
【図２】
0005851245.tif 000003
【図３】
0005851245.tif 000004
【図４】
0005851245.tif 000005
【図５】
0005851245.tif 000006
【図６】
0005851245.tif 000007
【図７】
0005851245.tif 000008
【図８】
0005851245.tif 000009
【図９】
0005851245.tif 000010
【図１０】
0005851245.tif 000011
【図１１】
0005851245.tif 000012